(57)【要約】【課題】複数の携帯端末が接続可能な表示装置において各携帯端末の状態に応じて画像のレイアウトを調整できる表示装置を提供する。【解決手段】表示装置１００は、表示装置１００を制御する制御部１１０と、各携帯端末と通信する通信部１２０と、表示装置１００に対する操作の入力を受け付けるユーザインターフェイス部１３０と、画像を表示する表示部１４０とを備える。制御部１１０は、携帯端末１６０とそのユーザとの距離を表す距離情報を取得する距離情報検出部１１１と、携帯端末１６０を有するユーザのジェスチャ情報を取得するジェスチャ情報検出部１１２と、各携帯端末１６０−１〜１６０−ｎの各々の画像を表示する領域の大きさを決定する演算部１１３と、表示部１４０に表示させるためのデータを生成する画像合成制御部１１４と、表示部１４０における描画処理を実行する表示制御部１１５とを含む。【選択図】図１
2014174331.tif 000002
【特許請求の範囲】
【請求項１】
表示装置であって、
画像を表示するための表示手段と、
複数の画像出力端末の各々によって送信される各信号を受信するための受信手段と、
各前記画像出力端末と当該画像出力端末のユーザとの間の距離を表す距離情報を含む信号を前記画像出力端末から受信すると、前記距離情報に応じた大きさで、各前記画像出力端末から送信される画像信号に基づく各画像を前記表示手段に表示させるための制御手段とを備える、表示装置。
【請求項２】
前記制御手段は、前記距離が最も短い画像出力端末から送信される画像信号に基づく画像を他の画像出力端末からの画像信号に基づく画像よりも大きく表示するように構成されている、請求項１に記載の表示装置。
【請求項３】
前記制御手段は、
当該距離が最も短い画像出力端末から送信される画像信号に基づく画像を前記表示手段の表示領域の中心に表示し、
前記表示領域の近傍の領域に、当該画像出力端末以外の画像出力端末から送信される画像信号に基づく画像を表示するように構成されている、請求項２に記載の表示装置。
【請求項４】
前記受信手段によって受信される信号は、前記画像出力端末の動きを表すジェスチャ情報を含み、
前記制御手段は、前記ジェスチャ情報の受信を検知すると、当該ジェスチャ情報を送信した画像出力端末から受信した画像信号に基づく画像を、一定時間拡大して表示するようにさらに構成されている、請求項１〜３のいずれか一項に記載の表示装置。
【請求項５】
表示装置を制御するためのプログラムであって、前記プログラムは、前記表示装置のコンピュータに、
画像を表示するステップと、
複数の画像出力端末の各々によって送信される各信号を受信するステップと、
各前記画像出力端末と当該画像出力端末のユーザとの間の距離を表す距離情報を含む信号を前記画像出力端末から受信すると、前記距離情報に応じた大きさで、各前記画像出力端末から送信される画像信号に基づく各画像を表示するステップとを実行させる、プログラム。
【発明の詳細な説明】
【技術分野】
【０００１】
本発明は、表示装置の制御に関し、より特定的には、複数の画面を表示するための制御に関する。
【背景技術】
【０００２】
従来、テレビとリモコンとの距離をカメラで画面を撮影することで測定し、テレビに表示する画面の大きさや位置を変更するという技術がある。たとえば、特開２００８−１８１１９９号公報（特許文献１）は、「リモコン側のカメラで画像表示部を撮像してユーザの位置を検出することにより、ユーザの位置に応じて表示画像の大きさや位置を変える」ことができる画像表示システムを開示している（［要約］の［課題］）。
【０００３】
また、特開２００７−２８８３７９号公報（特許文献２）は、「複数画面表示機能を動作させて新たな映像を視聴する視聴者がテレビジョン装置から所定の距離未満の近距離にいる場合、多様な新映像について、当該新映像の視聴者のみならず、元の映像の視聴者にとっても最適映像の視聴が可能なように分割画面の大きさ、配置、表示態様を自動的に調整することができるテレビジョン装置を提供する」できる技術を開示している（［要約］の［課題］）。
【０００４】
また、近年、ＷｉＦｉ−Ｄｉｓｐｌａｙという無線アクセスポイントを経由することなく出力元の装置と表示先の装置を無線で直接接続する技術が導入され、対応する機器が発売されてきている。
【先行技術文献】
【特許文献】
【０００５】
【特許文献１】特開２００８−１８１１９９号公報
【特許文献２】特開２００７−２８８３７９号公報
【発明の概要】
【発明が解決しようとする課題】
【０００６】
１つの表示装置（たとえば、テレビ）に対して複数の出力装置（たとえば、スマートフォンその他の携帯端末）が接続され、同時に画像データが当該出力装置から表示装置に出力される場合には、表示装置は、視聴者に対して適切なレイアウトで画像を表示することが必要とされる。
【０００７】
本開示は、このような問題点を解決するためになされたものであって、ある局面における目的は、複数の携帯端末が接続可能な表示装置において各携帯端末の状態に応じて画像のレイアウトを調整できる表示装置を提供することである。
【０００８】
他の局面における目的は、複数の携帯端末が接続可能な表示装置において各携帯端末の状態に応じて画像のレイアウトを調整できるように表示装置を制御するためのプログラムを提供することである。
【課題を解決するための手段】
【０００９】
一実施の形態に従う表示装置は、画像を表示するための表示手段と、複数の画像出力端末の各々によって送信される各信号を受信するための受信手段と、各画像出力端末と当該画像出力端末のユーザとの間の距離を表す距離情報を含む信号を画像出力端末から受信すると、距離情報に応じた大きさで、各画像出力端末から送信される画像信号に基づく各画像を表示手段に表示させるための制御手段とを備える。
【００１０】
好ましくは、制御手段は、距離が最も短い画像出力端末から送信される画像信号に基づく画像を他の画像出力端末からの画像信号に基づく画像よりも大きく表示するように構成されている。
【００１１】
好ましくは、制御手段は、当該距離が最も短い画像出力端末から送信される画像信号に基づく画像を表示手段の表示領域の中心に表示し、表示領域の近傍の領域に、当該画像出力端末以外の画像出力端末から送信される画像信号に基づく画像を表示するように構成されている。
【００１２】
好ましくは、受信手段によって受信される信号は、画像出力端末の動きを表すジェスチャ情報を含む。制御手段は、ジェスチャ情報の受信を検知すると、当該ジェスチャ情報を送信した画像出力端末から受信した画像信号に基づく画像を、一定時間拡大して表示するようにさらに構成されている。
【００１３】
他の実施の形態に従うと、表示装置を制御するためのプログラムが提供される。プログラムは、表示装置のコンピュータに、画像を表示するステップと、複数の画像出力端末の各々によって送信される各信号を受信するステップと、各画像出力端末と当該画像出力端末のユーザとの間の距離を表す距離情報を含む信号を画像出力端末から受信すると、距離情報に応じた大きさで、各画像出力端末から送信される画像信号に基づく各画像を表示するステップとを実行させる。
【００１４】
この発明の上記および他の目的、特徴、局面および利点は、添付の図面と関連して理解されるこの発明に関する次の詳細な説明から明らかとなるであろう。
【図面の簡単な説明】
【００１５】
【図１】表示装置１００と複数の携帯端末１６０−１〜１６０−ｎとの使用態様を表わす図である。
【図２】表示装置１００の制御部１１０が実行する処理の一部を表わすフローチャートである。
【図３】表示装置１００に対して４つの携帯端末１６０−１〜１６０−４が接続されている場合において表示装置１００に表示される画像を表わす図である。
【発明を実施するための形態】
【００１６】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１７】
＜技術思想＞
本実施の形態に係る技術思想は、以下のとおりである。１つの表示装置に対して複数の出力装置（たとえば、スマートフォンその他の携帯端末）がＷｉＦｉ−Ｄｉｓｐｌａｙによってそれぞれ接続されている場合において、
・出力装置を持つ操作者と出力装置の間の距離（以下「距離情報」ともいう）、および、
・出力装置を持つ操作者の動作（以下「ジェスチャ情報」ともいう）に従って、表示装置での最適映像の視聴が可能なように、表示装置に出力される画像を表示するためのレイアウトを調整する。
【００１８】
なお、ＷｉＦｉ−Ｄｉｓｐｌａｙによる接続において、表示装置と出力装置とは無線で接続されているが、その際の距離情報、ジェスチャ情報についても各出力装置から表示装置へ出力され、表示装置は各距離情報およびジェスチャ情報に応じて、各出力装置からの画像を表示するように表示装置における画面のレイアウトを設定する。
【００１９】
表示装置と出力装置との間の処理の流れは、以下のようになる。
１）表示装置は、出力装置から接続要求を受信する。
２）表示装置は、出力装置との接続処理を行う。
３）表示装置は、各出力装置から画像信号を受信する。
４）表示装置は、各出力装置から送信されてきた距離情報に基づき、距離が最も小さい出力装置からの出力画像を拡大表示し、それ以外の出力装置については距離順に、たとえば、１列または１行に並べて表示するためのレイアウトを決定する。
５）表示装置は、上記のようにして決定した表示レイアウトに基づいて、画像信号に基づく画像を表示装置上の表示部にそれぞれ表示する。
６）表示装置は、ジェスチャ情報を受信した場合は、ジェスチャ情報を送信した出力装置からの画像信号に基づく画像が一定時間拡大表示する。また拡大表示中に、表示装置が他の出力装置からジェスチャ情報を受信した場合には、表示装置は、後から受信したジェスチャ情報を送信した出力装置の画像信号に基づく画像を拡大表示する。
７）表示装置がジェスチャ情報を最後に受信してから一定時間経過するまでに新たなジェスチャ情報を受信しない場合には、表示装置は、再度４）に従って、画像を表示するための領域を再度レイアウトする。
【００２０】
＜使用態様＞
図１を参照して、本実施の形態に係る表示装置１００と出力装置との構成について説明する。以下、出力装置が、スマートフォン、タブレット端末その他の携帯端末である場合について説明する。図１は、表示装置１００と複数の携帯端末１６０−１〜１６０−ｎとの使用態様を表わす図である。なお、各携帯端末を総称するときは、携帯端末１６０とも表わす。
【００２１】
＜表示装置１００の構成＞
表示装置１００は、たとえば、テレビ、モニタ装置その他の表示画面を有する装置として実現される。表示装置１００は、制御部１１０と、通信部１２０と、ユーザインターフェイス部１３０と、表示部１４０とを備える。制御部１１０は、距離情報検出部１１１と、ジェスチャ情報検出部１１２と、演算部１１３と、画像合成制御部１１４と、表示制御部１１５とを含む。
【００２２】
表示装置１００と携帯端末１６０とは、互いに無線で通信可能である。無線は、たとえば、ＷｉＦｉ−Ｄｉｓｐｌａｙ規格に従う通信によって実現されるが、通信方式はこれに限定されない。
【００２３】
表示装置１００において、通信部１２０は、携帯端末１６０によって送信される信号を受信する。当該信号は、携帯端末１６０によって出力される画像情報と、携帯端末１６０のユーザと携帯端末１６０との間の距離を表わす距離情報と、携帯端末１６０のユーザのジェスチャを表わすジェスチャ情報とを含む。通信部１２０によって受信された信号は、制御部１１０に入力される。
【００２４】
制御部１１０は、表示装置１００の動作を制御する。制御部１１０は、たとえば、プロセッサその他の演算装置として実現される。
【００２５】
距離情報検出部１１１は、通信部１２０によって受信された信号から、携帯端末１６０とそのユーザとの距離を表す距離情報を取得する。
【００２６】
ジェスチャ情報検出部１１２は、通信部１２０によって受信された信号から、携帯端末１６０を有するユーザのジェスチャ情報を取得する。ジェスチャ情報は、たとえば、ユーザが携帯端末１６０を振ることによって携帯端末１６０が振動したことを表す。他の局面において、ジェスチャ情報は、振動の程度あるいは振動の時間をさらに含んでもよい。
【００２７】
ユーザインターフェイス部１３０は、たとえばタッチパネル、リモコンの受信回路その他の入力装置によって実現される。ユーザインターフェイス部１３０は、表示装置１００のユーザ（携帯端末１６０のユーザでもあり得る）による操作の入力を受け付ける。ユーザインターフェイス部１３０によって受け付けられた入力に応じた信号は、演算部１１３に入力される。
【００２８】
演算部１１３は、距離情報とジェスチャ情報とユーザの操作情報とに基づいて、携帯端末１６０−１〜１６０−ｎのそれぞれによって送信された表示用のデータをどの程度拡大または縮小して表示部１４０に表示するかを判断する。たとえば、演算部１１３は、表示部１４０の表示領域のサイズに基づいて予め設定された割合を用いて、各携帯端末１６０−１〜１６０−ｎの各々の画像を表示する領域の大きさを決定する。
【００２９】
画像合成制御部１１４は、演算部１１３による演算の結果に基づいて、携帯端末１６０−１から１６０−ｎの各々によって送信された画像データを拡大または縮小し、表示部１４０に表示させるためのデータを生成する。当該データは、画像データと、当該画像データに基づく画像を表示部１４０のどこに表示するかを表す位置情報とを含む。生成されたデータは、表示制御部１１５に入力される。
【００３０】
表示制御部１１５は、画像合成制御部１１４によって生成されたデータに基づいて表示部１４０における描画処理を実行する。表示部１４０は、そのデータに基づいて各携帯端末１６０−１から１６０−ｎのそれぞれによって送信されたデータに基づく画像を表示する。画像の表示態様は、図３を参照して詳述する。
【００３１】
＜携帯端末１６０の構成＞
図１を再び参照して、携帯端末１６０は、プロセッサ１７０と、カメラ１７１と、加速度センサ１７２と、メモリ１７３と、操作インターフェイス１７４と、モニタ１７５と、通信回路１７６とを備える。
【００３２】
プロセッサ１７０は、携帯端末１６０の動作を制御する。カメラ１７１は、携帯端末１６０のユーザの操作に基づいて撮影動作を実行し、その撮影によって得られた画像データをメモリ１７３に格納する。プロセッサ１７０は、その画像データをモニタ１７５に表示し得る。
【００３３】
ある局面において、プロセッサ１７０は、カメラ１７１からの画像信号に基づいて、携帯端末１６０のユーザを認識し、ユーザと携帯端末１６０との距離を算出する。たとえば、プロセッサ１７０は、予め登録されているユーザの顔情報とカメラ１７１によって撮影された画像とを比較し、その比較の結果に基づいて、現時点におけるユーザと携帯端末１６０との距離を算出する。プロセッサ１７０は、当該距離を表す距離情報を、通信回路１７６を介して、表示装置１００に対して送信する。たとえば、携帯端末１６０と表示装置１００とがＷｉＦｉ−Ｄｉｓｐｌａｙに従って接続し、携帯端末１６０で表示可能なコンテンツを外部で表示する指示がユーザによって携帯端末１６０に与えられると、携帯端末１６０は、表示要求とともに、あるいは、表示要求の後に、表示装置１００に対して当該距離情報を含む信号を送信する。
【００３４】
加速度センサ１７２は、携帯端末１６０の加速度を検出し、その検出結果をプロセッサ１７０に対して送る。プロセッサ１７０は、検出結果に基づいて、携帯端末１６０のジェスチャ情報を生成する。より具体的には、たとえば、プロセッサ１７０は、検出結果を用いて携帯端末１６０が予め規定された周波数以上の振動数で振られたことを表す情報をジェスチャ情報として生成する。
【００３５】
メモリ１７３は、携帯端末１６０に予め規定された動作を実行させるためのデータおよびプログラムまたはプロセッサ１７０によって生成されたデータを格納する。メモリ１７３は、不揮発メモリまたは揮発メモリのいずれによっても実現される。
【００３６】
操作インターフェイス１７４は、携帯端末１６０に対する操作を受け付ける。操作インターフェイス１７４は、ハードスイッチおよびソフトスイッチのいずれをも含み得る。操作インターフェイス１７４は、たとえばタッチパネルセンサを含む。操作インターフェイス１７４からの出力は、プロセッサ１７０に入力される。
【００３７】
モニタ１７５は、プロセッサ１７０の制御に基づいて画像を表示する。モニタ１７５によって表示される画像は、静止画像および動作画像のいずれをも含み得る。画像を表示するためのデータは、メモリ１７３に格納されている。
【００３８】
通信回路１７６は、プロセッサ１７０の制御に基づいて表示装置１００と通信する。ある局面において、通信回路１７６は、動画像データを表示装置１００に送信する。動画像データは、メモリ１７３に格納されている。他の局面において、動画像データは、テレビチューナによって受信されたテレビ放送信号であってもよい。
【００３９】
さらに、通信回路１７６は、携帯端末１６０とそのユーザとの距離情報または携帯端末１６０のジェスチャ情報を送信する。送信された信号は、表示装置１００の通信部１２０によって受信される。
【００４０】
携帯端末１６０の上記の動作は、当該動作を実現するためのプログラムがプロセッサ１７０によって実行されることによって実現される。他の局面において、各動作は、その動作を実現するための回路素子その他のハードウェアによって実現され得る。
【００４１】
＜制御構造＞
図２を参照して、本実施の形態に係る表示装置１００の制御構造について説明する。図２は、表示装置１００の制御部１１０が実行する処理の一部を表わすフローチャートである。
【００４２】
ステップＳ２１０にて、制御部１１０は、通信部１２０を介して、携帯端末１６０−１〜１６０−ｎのそれぞれによって送信された画像の表示要求を受信する。当該表示要求は、その表示要求を送信した携帯端末の識別情報を含む。
【００４３】
ステップＳ２２０にて、制御部１１０は、各携帯端末１６０から距離情報を受信する。より具体的には、ステップＳ２２１にて、制御部１１０は、表示装置１００との通信を要求する携帯端末１６０の数をカウントする。この数は、たとえば、通信部１２０によって受信された信号の数に基づいて算出される。これにより、距離情報を受信すべき携帯端末の数が決定される。
【００４４】
ステップＳ２２２にて、制御部１１０は、通信部１２０を介して、携帯端末１６０によって送信された当該携帯端末１６０とそのユーザとの距離を示す距離情報を受信する。より詳しくは、距離情報検出部１１１は、通信部１２０によって受信された信号から距離情報を取得する。
【００４５】
ステップＳ２２３にて、制御部１１０は、表示装置１００において画面の表示を要求したすべての携帯端末１６０から距離情報を受信したか否かを判断する。制御部１１０は、すべての距離情報を受信していないと判断すると、制御をステップＳ２２２に戻し、その他の携帯端末からの距離情報の受信を継続する。一方、制御部１１０は、すべての携帯端末１６０から距離情報を受信したと判断すると、制御をステップＳ２３０に切り換える。
【００４６】
ステップ２３０にて、制御部１１０は、いずれかの携帯端末１６０からジェスチャ情報を受信したか否かを判断する。具体的には、演算部１１３は、ジェスチャ情報検出部１１２からの出力に基づいて、当該ジェスチャ情報を送信した端末を特定する。このような処理は、たとえばジェスチャ情報検出部１１２から送られる信号がいずれの携帯端末に関連付けられたジェスチャ情報を含んでいるか否かに基づいて行なわれる。制御部１１０は、ジェスチャ情報を受信したと判断すると（ステップＳ２３０にてＹＥＳ）、制御をステップＳ２４０に切り換える。そうでない場合には（ステップＳ２３０にてＮＯ）、制御部１１０は、制御をステップＳ２５０に切り換える。
【００４７】
ステップＳ２４０にて、制御部１１０は、ジェスチャ情報を用いて表示エリアを決定する処理を実行する。より具体的には、制御部１１０は、ジェスチャ情報を送信した携帯端末から送られているデータに基づく画像を表示部１４０の表示領域の中央に大きく表示するための処理を実行する。まず、制御部１１０は、当該ジェスチャ情報を送信した携帯端末を特定する。制御部１１０は、その携帯端末が表示されている領域が表示部１４０の表示領域の中央にない場合には、当該携帯端末の画像を表示する領域を中央の領域に割り当て、それまで中央の領域に表示されていた携帯端末の画像を、ジェスチャ情報を送信した携帯端末がそれまで表示されていた領域に割り当てる。
【００４８】
ステップＳ２４２にて、制御部１１０は、タイマ（図示しない）による計測を開始する。たとえば、制御部１１０は、携帯端末１６０からの画像信号に基づく画像の表示を開始してから経過した時間を計測する。
【００４９】
ステップＳ２５０にて、制御部１１０は、表示装置１００との接続を要求している（携帯端末１６０の各々から送られた）データに基づく画像を表示するための領域を決定する。より具体的には、たとえば、演算部１１３は、距離情報検出部１１１からの出力と、予め設定されている情報とに基づいて、表示部１４０における表示を求める携帯端末１６０の数に応じて予め設定された領域の数および各領域の大きさを決定する。一例として、携帯端末の数が４である場合、１つの携帯端末からの画像信号に基づく画像は、表示部１４０の表示領域のうちの７０％の領域に表示され、残りの３つの携帯端末からの画像信号に基づく画像は、残り３０％を均等割りすることによって得られる領域（すなわち、表示領域全体のうちの１０％の領域）にそれぞれ表示される。
【００５０】
ステップＳ２６０にて、制御部１１０は、表示制御部１１５として、ステップＳ２４０またはステップＳ２５０による決定の結果に基づいて、画像を表示部１４０に表示する。
【００５１】
ステップＳ２７０にて、制御部１１０は、表示装置１００において設定されている情報に基づいて、タイマにより計測した時間が有効であるか否かを判断する。より具体的には、演算部１１３は、表示部１４０において行なわれている表示を一定時間だけ表示する大麻設定が有効であるか否かを判断する。演算部１１３は、タイマ設定が有効であると判断すると（ステップＳ２７０にてＹＥＳ）、制御をステップＳ２８０に切り換える。そうでない場合には（ステップＳ２７０にてＮＯ）、演算部１１３は、制御をステップＳ２９０に切り換える。
【００５２】
ステップＳ２８０にて、制御部１１０は、タイマ設定された時間が満了したか否かを判断する。制御部１１０は、タイマ設定された時間が満了したと判断すると（ステップＳ２８０にてＹＥＳ）、制御をステップＳ２３０に戻す。そうでない場合には（ステップＳ２８０にてＮＯ）、制御部１１０は、制御をステップＳ２９０に切り換える。
【００５３】
ステップＳ２９０にて、制御部１１０は、表示部１４０における各携帯端末１６０から送られた信号に基づく画像の表示を終了するか否かを判断する。この判断は、たとえば、そのような表示を終了する旨の命令をすべての携帯端末から受信したか否かに基づいて、あるいは表示部１４０における表示を終了するために予め設定された時間が経過したか否かに基づいて行なわれる。制御部１１０は、表示部１４０における表示を終了すると判断すると（ステップＳ２９０にてＹＥＳ）、処理を終了する。そうでない場合には（ステップＳ２９０にてＮＯ）、制御部１１０は、制御をステップＳ２３０に戻す。
【００５４】
＜画面の表示態様＞
図３を参照して、本実施の形態に係る表示装置１００における画面の表示態様について説明する。図３は、表示装置１００に対して４つの携帯端末１６０−１〜１６０−４が接続されている場合において表示装置１００に表示される画像を表わす図である。
【００５５】
状態Ａに示されるように、ある局面において、携帯端末１６０−１〜１６０−４は、それぞれ表示装置１００と通信している。ユーザ３１０と携帯端末１６０−１との距離Ａは、他のユーザと当該ユーザが使用する携帯端末との距離、たとえばユーザ３２０と携帯端末１６０−２との距離Ｂ、ユーザ３３０と携帯端末１６０−３との距離Ｃおよびユーザ３４０と携帯端末１６０−４との距離Ｄのいずれよりも短い。したがって、表示装置１００は、携帯端末１６０−１に表示される画像を画像３５０として最も大きく表示する。その他の端末の画像は、画像３５１，３５２，３５３として、画像３５０の横に小さく表示される。たとえば、一例として、表示装置１００においてデフォルトとして５台の携帯端末と通信可能であると設定されている場合、最大の画像３５０を表示するための領域として、表示部１４０の表示領域全体の８０％が割り当てられている。残りの４つの携帯端末からの画像を表示するための領域は、残りの２０％の領域を均等に分けられた５％ずつの領域として規定される。本実施の形態では、４台の携帯端末が表示装置１００と通信しているため、３つの領域が使用される。
【００５６】
次に、状態Ｂに示されるように、別の局面において、各ユーザとそのユーザの携帯端末との距離が同じである場合においてユーザ３２０が携帯端末１６０−２を上下に振るようなジェスチャを行なう。すると、携帯端末１６０−２は、加速度センサ１７２によって検出された当該ジェスチャを示すジェスチャ情報を表示装置１００に送信する。表示装置１００は、ジェスチャ情報を携帯端末１６０−２から受信したことを検知すると、携帯端末１６０−２に表示されていた画像を表示部１４０の中心部に、画像３５０に代えて画像３６０を表示する。その他の携帯端末１６０−１，１６０−３，１６０−４において表示されていた各画像は、それぞれ画像３６１，３６２，３６３としてそれぞれ表示される。
【００５７】
その後、各ユーザとその携帯端末との位置関係が変わると、たとえば状態Ｃに示されるように、ユーザ３４０とその携帯端末１６０−４との距離ｄが最も小さくなる。表示装置１００は、各携帯端末から距離情報を受信した後にユーザ３４０と携帯端末１６０−４との距離ｄが最も短いことを検知すると、表示部１４０に、携帯端末１６０−４に表示されていた画像を最も大きく表示する。表示装置１００は、その他の携帯端末１６０−１，１６０−２，１６０−３において表示されていた画像をそれぞれ画像３７１，３７２，３７３として表示する。
【００５８】
以上のようにして、本実施の形態に係る表示装置と携帯端末とによれば、１つの表示装置に対して複数の携帯端末とが接続されている場合において、携帯端末のユーザと当該携帯端末との距離または携帯端末の動きを表すジェスチャ情報によって、当該携帯端末から出力される画像データに基づく画像が強調して表示される。たとえば、当該画像は、表示装置の表示領域の中央において他の画像よりも大きく表示され、あるいは、最も大きく表示される画像の近傍に小さく表示される。これにより、表示装置の視聴者に対して視認性の高い画像のレイアウトを提示することができる。
【００５９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６０】
１００  表示装置、１１０  制御部、１１１  距離情報検出部、１１２  ジェスチャ情報検出部、１１３  演算部、１１４  画像合成制御部、１１５  表示制御部、１２０  通信部、１３０  ユーザインターフェイス部、１４０  表示部、１６０  携帯端末、１７０  プロセッサ、１７１  カメラ、１７２  加速度センサ、１７３  メモリ、１７４  操作インターフェイス、１７５  モニタ、１７６  通信回路。
【図１】
2014174331.tif 000003
【図２】
2014174331.tif 000004
【図３】
2014174331.tif 000005